(57)【特許請求の範囲】
【請求項１】
筐体内に挿入されるディスクの外周縁に当接して移動する検知ピンと、この検知ピンの固定端側を支持して該検知ピンと一体的に移動する支持部材と、前記検知ピンにより挿入が検知されたディスクを搬送する搬送機構と、この搬送機構により搬送されたディスクを駆動する駆動機構と、この駆動機構にディスクが搬送されたときに前記検知ピンを初期位置へ復帰させる付勢部材と、前記駆動機構にディスクが設置されているときに初期位置に復帰した前記検知ピンを拘束して別のディスクの挿入を阻止する拘束部材とを備え、
前記検知ピンが前記拘束部材により初期位置に拘束されているときに、該検知ピンの自由端側の傾倒を規制する退避孔が前記筐体に設けられていることを特徴とするディスクプレーヤの誤挿入防止装置。
【請求項２】
請求項１の記載において、前記筐体に前記検知ピンの自由端側の移動を案内するガイド孔が設けられ、該ガイド孔の一端部に前記退避孔が連設されていることを特徴とするディスクプレーヤの誤挿入防止装置。
【請求項３】
請求項２の記載において、前記支持部材が先端部に前記検知ピンを支持する回動レバーであり、前記ガイド孔がこの回動レバーの回動支点を中心として円弧状に形成されていることを特徴とするディスクプレーヤの誤挿入防止装置。
【発明の詳細な説明】
【０００１】
【発明の属する技術分野】
本発明は、ＣＤ（コンパクトディスク）やＤＶＤ（デジタルバーサタイルディスク）等のディスクを記録および／または再生するディスクプレーヤに係り、特に、１枚のディスクが筐体内に挿入されているときに別のディスクの挿入を防止するようにしたディスクプレーヤの誤挿入防止装置に関する。
【０００２】
【従来の技術】
一般的に車載用のディスクプレーヤでは、ディスクを筐体に対して挿入／排出する挿入口がスリット状に形成されているため、所望のディスクが筐体内に既に挿入されているときに、誤って別のディスクが挿入口から挿入される虞がある。このようなディスクの誤挿入（二重挿入）を防止するために、本出願人は特開平８−１８０５４０号公報において、ディスクの挿入を検知する検知手段を利用して別のディスクの挿入を阻止するようにした誤挿入防止装置を先に提案した。
【０００３】
図５〜図８は上記公報に開示された従来の誤挿入防止装置を説明するもので、図５は誤挿入防止装置の分解斜視図、図６はディスクの挿入動作を示す平面図、図７はディスクの挿入状態を示す平面図、図８は誤挿入防止装置に備えられる拘束部材の動作説明図である。
【０００４】
これらの図に示す従来の誤挿入防止装置は、ディスクプレーヤの一例としての車載用ＣＤプレーヤに適用されたものであり、このＣＤプレーヤは筐体を構成するシャーシ１０と支持板１１を備えている。シャーシ１０の底面には左右の側板１０ａが折曲げ形成されており、シャーシ１０の前方に取り付けられた前面板（図示せず）にはディスクＤを筐体に対して挿入／排出する挿入口がスリット状に開設されている。支持板１１はシャーシ１０の上面に固定されており、この支持板１１の下側にディスクＤの搬送機構を構成するガイドトップ１２とローラ１３とが配設されている。ガイドトップ１２は摩擦係数の小さい合成樹脂材料からなり、その中心位置に一対の支持軸１２ａが設けられると共に、これら支持軸１２ａを結ぶ直線を介して対向する一対の弾性片１２ｂが設けられている。一方、支持板１１の中心位置には一対の支持穴１１ａが設けられており、これら支持穴１１ａに支持軸１２ａを挿入して弾性片１２ｂの先端を支持板１１の下面に当接することにより、ガイドトップ１２は支持板１１の下面に回動可能に支持されて水平姿勢を維持している。
【０００５】
図８（Ａ）に示すように、ローラ１３はガイドトップ１２の下面に対向しており、挿入口から搬入されたディスクＤはガイドトップ１２の下面とローラ１３とで挟持される。ローラ１３の支軸１３ａの両端はローラブラケット１４の支持片１４ａに回転自在に支持され、支軸１３ａの一端には歯車１５が固定されている。シャーシ１０内に設けられたモータからの動力は図示しない歯車列から歯車１５に伝達され、支軸１３ａとローラ１３が正逆両方向へ一体的に回転駆動される。ローラブラケット１４は板金によりコの字状に曲げ形成されており、両支持片１４ａを結ぶ連結片１４ｃにはディスクＤの挿入口の方向へ向く一対の拘束部材１４ｄが所定間隔を存して突出形成されている。また、ローラブラケット１４の両支持片１４ａに設けられた軸１４ｂはシャーシ１０の側板１０ａに回動自在に支持されており、ローラブラケット１４をスプリング１６で付勢することにより、常にローラ１３はガイドトップ１２の下面に圧接する方向へ付勢されている。
【０００６】
図６と図７に示すように、シャーシ１０の内部において前記搬送機構（ガイドトップ１２とローラ１３）の奥側には駆動機構Ｍが配設されており、この駆動機構Ｍには、ディスクＤの中心部が設置されるターンテーブルＴと、これを回転駆動するスピンドルモータ、ディスクＤの中心をターンテーブルＴにクランプするクランパ（いずれも図示せず）、および光ヘッドＨ等が設けられている。また、前記搬送機構よりも挿入口側の位置にはディスクＤの挿入検知を行う一対の検知ピン１７が配設されており、これら検知ピン１７の基部１７ａはシャーシ１０の底面に固定された軸１８に回動自在に支持されている。さらに、両検知ピン１７はスプリング１９によって互いの距離が近づく方向へ復帰付勢されており、復帰付勢された両検知ピン１７がシャーシ１０の底面に設けられたストッパ２０に当接した状態で、両検知ピン１７の対向間隔が所定寸法Ｗになるように設定されている。この対向間隔Ｗは当該ディスクプレーヤに装填されるディスク（コンパクトディスク）Ｄの直径（１２ｃｍ）よりも十分に短く設定されており、ディスクＤが挿入されると、必ず両検知ピン１７がディスクＤの先端の外周縁部を摺動して共に（イ）方向へ移動し、両検知ピン１７が共に（イ）方向へ所定距離移動（回動）したことが図示しないスイッチにより電気的に検知されると、所定のディスクＤが挿入されたことが検知される。なお、このディスクプレーヤは直径１２ｃｍのディスクのみの挿入を受け付けるものであり、これよりも小さな径のディスクや他の異物が挿入されたときには、一対の検知ピン１７が同時に（イ）方向へ所定距離移動することはない。また、ローラ１３を駆動するモータは、両検知ピン１７が共に（イ）方向へ所定距離移動したことが検知されたときにのみ始動されるようになっており、よって、小径のディスクや異物が挿入されたときには、ローラ１３が回転しないものとなっている。
【０００７】
このように構成されたＣＤプレーヤでは、ディスクＤが挿入されていない待機状態において、図８（Ａ）に示すように、ローラブラケット１４は軸１４ｂを支点として反時計方向へ回動しており、ローラ１３はスプリング１６の付勢力によりガイドトップ１２の下面方向へ弾圧付勢されている。また、図６と図８（Ａ）中の符号（ロ）で示すように、検知ピン１７はスプリング１９の付勢力によりストッパ２０に当接する初期位置に復帰させられており、一対の拘束部材１４ｄは検知ピン１７の（イ）方向への回動領域から離れている。したがって、かかる待機状態において、ディスクＤが挿入口からシャーシ１０の内部に挿入されると、ディスクＤの挿入方向における先端側の外周縁が両検知ピン１７に当接し、ディスクＤの挿入力によって両検知ピン１７がディスクＤの先端側の円弧周縁部を摺動してそれぞれ（イ）方向へ移動する。そして、両検知ピン１７が共に（イ）方向へ所定距離移動したことが図示せぬスイッチによって電気的に検知されると、モータが始動してその動力が歯車列から歯車１５に伝達され、支軸１３ａとローラ１３が一体的に回転する。その結果、ディスクＤの挿入方向の先端部がガイドトップ１２の下面とローラ１３とで挟持され、ローラ１３の回転力によってディスクＤが駆動機構Ｍ内へと搬送される。
【０００８】
ディスクＤが駆動機構Ｍの方向へ移動して図６の一点鎖線で示す位置に至ると、両検知ピン１７はディスクＤの周縁部を摺動して図６の（ハ）で示す位置まで移動する。その後さらにディスクＤが駆動機構Ｍの方向へ移動すると、両検知ピン１７はディスクＤの挿入方向後方側の円弧状外周縁を摺動し、スプリング１９の付勢力によりストッパ２０と当接する初期位置（ロ）に復帰する。両検知ピン１７が初期位置（ロ）に復帰し、さらにディスクＤが搬送されてその中心部が駆動機構ＭのターンテーブルＴにクランプされる直前に、図示しない退避機構によってローラブラケット１４が回動させられ、図８（Ｂ）に示すように、ローラ１３がディスクＤの搬送位置から下方へ退避する。かかる退避状態において、ディスクＤはターンテーブルＴ上にクランプされており、ローラブラケット１４に突出形成された拘束部材１４ｄが検知ピン１７の（イ）方向への回動領域内に入り込む。すなわち、図７に示すように、両拘束部材１４ｄが一対の検知ピン１７を外側から挟み込む状態に拘束しているため、ディスクＤが駆動機構Ｍ内に設置されている状態で新たな別のディスクＤを挿入口から挿入し、このディスクＤの挿入方向先端が両検知ピン１７に当接しても、拘束部材１４ｄで拘束されている検知ピン１７は（イ）方向へ移動できず、よって別のディスクＤを検知ピン１７に当接した位置からさらにシャーシ１０内へ挿入することはできない。
【０００９】
なお、再生等が完了したディスクＤを排出するときには、まずターンテーブルＴに対するディスクＤのクランプが解除され、さらにローラブラケット１４が図８（Ａ）に示すように反時計方向へ回動し、クランプが解除されて自由状態となったディスクＤがガイドトップ１２の下面とローラ１３とで挟持される。そして、モータによりローラ１３が駆動され、ディスクＤが挿入口から排出される。この時点では、図８（Ａ）に示すように、拘束部材１４ｄは検知ピン１７の回動領域から外れているため、両検知ピン１７は排出されるディスクＤの外周縁を摺動して一度軌跡（イ）に沿って外側に移動し、その後に図６に示す初期位置（ロ）に復帰する。
【００１０】
【発明が解決しようとする課題】
前述した従来技術に係るディスクプレーヤの誤挿入防止装置によれば、１枚のディスクＤが筐体内に挿入されているときに、拘束部材１４ｄが検知ピン１７を初期位置に拘束することで別のディスクＤの挿入を阻止できるため、ローラブラケット１４に拘束部材１４ｄを形成するという簡単な構成により、ディスクＤの二重挿入を防止することができる。しかしながら、検知ピン１７はシャーシ１０の底面に回動自在に支持された基部１７ａを固定端として上方へ突出しており、このような片持ち構造の検知ピン１７の下部側を拘束部材１４ｄでブロックして動かないようにしているため、１枚のディスクＤが筐体内に挿入されているときに、検知ピン１７に当接して挿入が阻止された別のディスクＤを無理に押し込もうとすると、検知ピン１７が曲がったり折れることが懸念される。
【００１１】
このような理由から前述した従来の誤挿入防止装置においては、検知ピン１７の支持構造を大型化して機械的強度を高める必要があり、具体的には、検知ピン１７や基部１７ａの肉厚や寸法を大きくすることで、ディスクＤの無理な挿入によって検知ピン１７が変形することを抑制しているが、ディスクプレーヤの薄型化が促進されていくと、このような大型の支持構造をメカニズムに組み込むことが非常に困難になるという問題があった。
【００１２】
本発明は、このような従来技術の実情に鑑みてなされたもので、その目的は、簡単な構成で検知ピンの変形を確実に防止でき、薄型化に好適なディスクプレーヤの誤挿入防止装置を提供することにある。
【００１３】
【課題を解決するための手段】
本発明は、筐体に検知ピンの自由端側の傾倒を規制する退避孔を設け、１枚のディスクが筐体内に挿入されているときに、別のディスクの挿入力を利用して検知ピンの自由端側の移動軌跡を退避孔側へ変えることとする。このような退避孔を筐体に設けると、ディスクの誤挿入時に検知ピンが擬似的に両端支持構造となるため、誤挿入されたディスクによって検知ピンが変形することを確実に防止でき、しかも、検知ピンの支持構造自体を大型化する必要はないため、薄型化が促進されたディスクプレーヤに適用して好適な誤挿入防止装置を実現できる。
【００１４】
【発明の実施の形態】
本発明によるディスクプレーヤの誤挿入防止装置では、筐体内に挿入されるディスクの外周縁に当接して移動する検知ピンと、この検知ピンの固定端側を支持して該検知ピンと一体的に移動する支持部材と、前記検知ピンにより挿入が検知されたディスクを搬送する搬送機構と、この搬送機構により搬送されたディスクを駆動する駆動機構と、この駆動機構にディスクが搬送されたときに前記検知ピンを初期位置へ復帰させる付勢部材と、前記駆動機構にディスクが設置されているときに初期位置に復帰した前記検知ピンを拘束して別のディスクの挿入を阻止する拘束部材とを備え、前記検知ピンが前記拘束部材により初期位置に拘束されているときに、該検知ピンの自由端側の傾倒を規制する退避孔が前記筐体に設けられている構成とした。
【００１５】
このように構成されたディスクプレーヤの誤挿入防止装置においては、駆動機構に所望のディスクが設置されているときに別のディスクを挿入すると、当該別のディスクの挿入力を利用して検知ピンの自由端側の移動軌跡が退避孔側へと変えられ、検知ピンが擬似的に両端支持構造となるため、誤挿入された別のディスクによる検知ピンの変形が確実に防止され、しかも、検知ピンの支持構造自体を大型化する必要はないため、薄型化が促進されたディスクプレーヤに適用して好適な誤挿入防止装置を実現できる。
【００１６】
上記の構成において、筐体に検知ピンの自由端側の移動を案内するガイド孔を設け、該ガイド孔の一端部に退避孔を連設すると、駆動機構にディスクが設置されていない状態で所望のディスクを挿入するとき、拘束部材に拘束されていない検知ピンをガイド孔に沿ってスムーズに移動させることができ、別のディスクを誤挿入するときだけ、検知ピンの自由端側を退避孔に係止させることができて好ましい。
【００１７】
また、上記の構成において、検知ピンの固定端側を支持する支持部材の移動は直線的なスライド動作でもよいが、支持部材の可動スペースを少なくするためには、支持部材が先端部に検知ピンを支持する回動レバーで、ガイド孔がこの回動レバーの回動支点を中心として円弧状に形成されていることが好ましい。
【００１８】
【実施例】
実施例について図面を参照して説明すると、図１は実施例に係るディスクプレーヤの平面図、図２は該ディスクプレーヤから搬送機構を取り除いた状態を示す平面図、図３は該ディスクプレーヤに備えられる誤挿入防止装置の要部平面図、図４は誤挿入防止装置に備えられる検知ピンと退避孔の位置関係を示す説明図である。
【００１９】
本実施例に係るディスクプレーヤの誤挿入防止装置が前述した従来例（図５〜図８参照）と相違する点は、シャーシ１の上面に固定された支持板２に退避孔２ａとガイド孔２ｂを設け、駆動機構Ｍに所望のディスクＤが設置されているときに、別のディスクＤの挿入力を利用して検知ピン３の自由端側を退避孔２ａに係止させるようにしたことにあり、それ以外の構成は各部材の形状等に若干の変更がある点を除いて基本的に同じである。
【００２０】
すなわち、ディスクプレーヤの一例として示された車載用ＣＤプレーヤは、筐体を構成するシャーシ１と支持板２とを備えており、この筐体の内部に配設された駆動機構Ｍにはターンテーブルや光ヘッドＨ等が設けられている。駆動機構Ｍの手前側（図１における下側）にはディスクＤの搬送機構を構成するガイドトップ４とローラ５が配設されており、この搬送機構よりも挿入口側（図１における下側）の位置にディスクＤの挿入検知を行う一対の検知ピン３が配設されている。一方の検知ピン３は、回動レバー６の先端部に植設された金属製の支軸３ａと、この支軸３ａに遊嵌された合成樹脂製の筒体３ｂとで構成されており、筒体３ｂの上端には鍔部３ｃが形成されている。他方の検知ピン３も同様に構成されている。
【００２１】
図２に示すように、両回動レバー６は軸６ａを中心としてシャーシ１の底面に回動自在に支持されており、これら回動レバー６に立設された両検知ピン３は、シャーシ１に摺動自在に支持されたスライダ７とスプリング８で構成される付勢部材によって互いの距離が近づく方向へ復帰付勢されている。ここで、両スライダ７は支軸３ａの下端部に係合されており、これらスライダ７をスプリング８によって互いの距離が近づく方向へ復帰付勢し、復帰付勢された両スライダ７が図示せぬストッパに当接した状態で、両検知ピン３の対向間隔が所定寸法になるように設定されている。両回動レバー６にはそれぞれ段差部６ｂが形成されており、この段差部６ｂに図示しないスイッチのアクチュエータ部が対向している。そして、検知ピン３および回動レバー６が回動し始めると、段差部６ｂによって前記スイッチが作動し、ディスクＤが挿入されたことを検知できるようになっている。また、ローラ５はシャーシ１内に設けられた図示せぬモータを駆動源として正逆両方向へ回転駆動されるようになっており、このローラ５を軸支するローラブラケット９はシャーシ１の側板に回動自在に支持されている。ローラブラケット９にはディスクＤの挿入口の方向へ向く一対の拘束部材９ａが所定間隔を存して突出形成されており、このローラブラケット９を図示せぬスプリングで上方向へ付勢することにより、常にローラ５はガイドトップ４の下面に圧接する方向へ付勢されている。
【００２２】
図３に示すように、シャーシ１の上方に固定された支持板２には一対のガイド孔２ｂが穿設されており、これらガイド孔２ｂは回動レバー６の軸６ａを中心として円弧状に延びている。両ガイド孔２ｂ内にはそれぞれ検知ピン３の自由端（すなわち、支軸３ａの上端）が挿入されており、両検知ピン３はディスクＤの挿入／排出に伴ってガイド孔２ｂに沿って回動する。なお、両検知ピン３の鍔部３ｃはガイド孔２ｂの幅寸法よりも大径に形成されており、これら鍔部３ｃが支持板１の下面に当接することにより、両検知ピン３の上下方向の動きが規制されるようになっている。また、両ガイド孔２ｂの互いに対向する内側端部には退避孔２ａがそれぞれ形成されており、これら退避孔２ａは初期位置に拘束された両検知ピン３に当接するディスクＤの法線方向へ延びている。
【００２３】
このように概略構成されたＣＤプレーヤでは、ディスクＤが挿入されていない待機状態において、ローラブラケット９は上方向へ回動しており、ローラ５は図示せぬスプリングの付勢力によりガイドトップ４の下面方向へ弾圧付勢されている。また、検知ピン３は付勢部材（スライダ７とスプリング８）の付勢力によって初期位置に復帰させられており、図４（Ａ）に示すように、検知ピン３の支軸３ａの上端はガイド孔２ｂの内側端部に位置して退避孔２ａと対向している。さらに、ローラブラケット９が上方向へ回動しているため、一対の拘束部材９ａは検知ピン３の回動領域から離れている。したがって、かかる待機状態において、図１，図３に示すように、ディスクＤが挿入口から筐体の内部に挿入されると、ディスクＤの挿入方向における先端側の外周縁が両検知ピン３の筒体３ｂに当接し、ディスクＤの挿入力によって両検知ピン３が外側へ拡がるように回動する。その際、支軸３ａの上端はガイド孔２ｂの内側端部から外側へ向かって移動するが、ガイド孔２ｂは検知ピン３を支持する回動レバー６の軸６ａを中心として円弧状に延びているため、支軸３ａの上端はガイド孔２ｂ内をスムーズに移動することができる。そして、両検知ピン３が共に所定距離移動したこと（回動レバー６が所定角度回動したこと）が図示せぬ前記スイッチによって電気的に検知されると、同じく図示せぬモータが始動してローラ５が回転する。その結果、ディスクＤの挿入方向の先端部がガイドトップ４の下面とローラ５とで挟持され、ローラ５の回転力によってディスクＤが駆動機構Ｍ内へと搬送される。
【００２４】
ディスクＤが駆動機構Ｍの方向へ搬送されていくと、両検知ピン３はディスクＤの挿入方向の先端側から後方側の円弧状外周縁を摺動し、ディスクＤの搬送が完了した時点では付勢部材（スライダ７とスプリング８）の付勢力によって初期位置に復帰する。そして、ディスクＤの中心部が駆動機構Ｍのターンテーブルにクランプされる直前に、図示しない退避機構によってローラブラケット９が下方へ回動させられ、ローラ５がディスクＤの搬送位置から下方へ退避する。かかる退避状態において、ディスクＤはターンテーブル上にクランプされており、図２に示すように、ローラブラケット９の拘束部材９ａが検知ピン３の回動領域内に入り込むため、両拘束部材９ａが一対の検知ピン３を外側から挟み込む状態となり、検知ピン３の回動が拘束部材９ａによって阻止される。
【００２５】
このようにディスクＤが既に駆動機構Ｍ内に設置されているとき、ユーザが別のディスクＤを挿入口から挿入すると、このディスクＤの挿入方向先端が両検知ピン３に当接しても、拘束部材９ａで拘束されている検知ピン３は外側へ移動できないため、別のディスクＤを検知ピン３に当接した位置からさらに筐体内へ挿入することはできない。その際、ユーザが別のディスクＤを無理に筐体内へ挿入しようとすると、この挿入力によって検知ピン３がディスクＤの法線方向へ若干傾倒するため、図４（Ｂ）に示すように、支軸３ａの上端がガイド孔２ｂの内側端部から退避孔２ａ内へ入り込む。すなわち、検知ピン３の自由端側の移動軌跡が退避孔２ａ側へと変えられ、検知ピン３の上下両端が退避孔２ａの外縁部と回動レバー６とで支持された擬似的な両端支持構造となるため、誤挿入された別のディスクＤによって検知ピン３が折れ曲がることを確実に防止できる。
【００２６】
なお、再生等が完了したディスクＤを排出するときには、まずターンテーブルに対するディスクＤのクランプが解除され、さらにローラブラケット９が上方向へ回動することにより、クランプが解除されて自由状態となったディスクＤがガイドトップ４の下面とローラ５とで挟持される。そして、モータによりローラ５が駆動され、ディスクＤが挿入口から排出される。この時点では、拘束部材９ａは検知ピン３の回動領域から外れているため、両検知ピン３は排出されるディスクＤの外周縁を摺動して一度外側に移動し、その後に初期位置に復帰する。
【００２７】
上記実施例に係る誤挿入防止装置では、筐体の構成部材である支持板２に退避孔２ａを設け、駆動機構Ｍに所望のディスクＤが設置されているときに、検知ピン３を拘束部材９ａによって初期位置に拘束すると共に、検知ピン３の自由端（支軸３ａの上端）を退避孔２ａに対向させるように構成したので、誤挿入された別のディスクＤの挿入力によって検知ピン３の自由端が退避孔２ａの外縁部に係止され、検知ピン３を擬似的に両端支持構造とすることができる。したがって、誤挿入された別のディスクＤをユーザが無理に押し込もうとした場合でも、検知ピン３が大きく変形して折れ曲がることを確実に防止でき、しかも、検知ピン３の支持構造自体を大型化する必要がなく、かつ部品点数も増加しないため、薄型化が促進されたディスクプレーヤに適用して好適な誤挿入防止装置を実現できる。また、支持板１に検知ピン３の自由端側の移動を案内するガイド孔２ｂを穿設し、このガイド孔２ｂの内側端部に退避孔２ａを形成したので、通常のディスクＤの挿入／排出時は、拘束部材９ａに拘束されていない検知ピン３の支軸３ａをガイド孔２ｂに沿ってスムーズに移動させることができる。
【００２８】
なお、上記実施例では、ローラを軸支するローラブラケットに拘束部材を一体形成した場合について説明したが、拘束部材は、ディスクが駆動機構に設置されているときに、初期位置に復帰した検知ピンを移動させないように拘束できれば何でもよく、要は、駆動機構のクランプ動作等に連動して検知ピンを拘束する位置へ移動できればよい。
【００２９】
また、上記実施例では、一対の検知ピンを用いた場合について説明したが、一方の検知ピンのみでもディスクの挿入を検出することができ、また別のディスクの誤挿入を阻止することができる。この場合は、当然のこととして一方の退避孔とガイド孔も省略できる。
【００３０】
【発明の効果】
本発明は、以上説明したような形態で実施され、以下に記載されるような効果を奏する。
【００３１】
駆動機構に所望のディスクが設置されているときに、検知ピンを拘束部材によって初期位置に拘束するように構成したので、誤って別のディスクが二重挿入されることを阻止でき、しかも、筐体に検知ピンの自由端側の傾倒を規制する退避孔を設けたので、誤挿入されたディスクを無理に押し込もうとしたときに、検知ピンを擬似的に両端支持構造とすることができる。したがって、誤挿入されたディスクによって検知ピンが変形することを確実に防止できるのみならず、検知ピンの支持構造自体を大型化する必要はないため、薄型化が促進されたディスクプレーヤに適用して好適な誤挿入防止装置を実現できる。
【図面の簡単な説明】
【図１】実施例に係るディスクプレーヤの平面図である。
【図２】該ディスクプレーヤから搬送機構を取り除いた状態を示す平面図である。
【図３】該ディスクプレーヤに備えられる誤挿入防止装置の要部平面図である。
【図４】誤挿入防止装置に備えられる検知ピンと退避孔の位置関係を示す説明図である。
【図５】従来例に係るディスクプレーヤの誤挿入防止装置を示す分解斜視図である。
【図６】誤挿入防止装置におけるディスクの挿入動作を示す平面図である。
【図７】誤挿入防止装置におけるディスクの挿入状態を示す平面図である。
【図８】誤挿入防止装置に備えられる拘束部材の動作説明図である。
【符号の説明】
２  支持板（筐体）
２ａ  退避孔
２ｂ  ガイド孔
３  検知ピン
３ａ  支軸
３ｂ  筒体
３ｃ  鍔部
４  ガイドトップ
５  ローラ
６  回動レバー
６ａ  軸
７  スライダ
８  スプリング
９  ローラブラケット
９ａ  拘束部材
Ｍ  駆動機構
Ｄ  ディスク
【図１】
0003865656.tif 000002
【図２】
0003865656.tif 000003
【図３】
0003865656.tif 000004
【図４】
0003865656.tif 000005
【図５】
0003865656.tif 000006
【図６】
0003865656.tif 000007
【図７】
0003865656.tif 000008
【図８】
0003865656.tif 000009